(57)【要約】【課題】安価に製作でき、組立や保管および流通等の取り扱いが簡便な蓋付容器固定具を提供する。【解決手段】蓋付容器固定具１０は、底部連結線材１３および底部連結線材１４によって連結された一対の第１フレーム線材１１および第２フレーム線材１２、および上部連結線材１５からなり、底部連結線材１３および１４に骨壺を乗せて、両側から第１フレーム線材１１および１２を起立させて骨壺の側面および蓋を保持し、上部連結線材１５で第１フレーム線材１１および１２の係合環部１１ｈおよび係合環部１２ｈを連結し、上部連結線材１５の螺子結合部１５ｃの蝶螺子１５ｅで締結することにより、容器本体および蓋体からなる骨壺を結束する。上部連結線材１５の中央に設けられた吊輪部１５ｂを用いて骨壺を吊り下げて簡便に運搬できる。【選択図】図１
2011079563.tif 000002
【特許請求の範囲】
【請求項１】
閉じた枠形状に成形され、各々が係合環部を備えた第１フレーム線材および第２フレーム線材と、
両端部に形成された折り曲げ部を介して前記第１および第２フレーム線材に可動に装着され、当該第１および第２フレーム線材の前記係合環部と反対側を連結可能な複数の第１連結線材と、
両端部にそれぞれ形成された折り曲げ部および螺子結合部を介して前記第１および第２フレーム線材の各々の前記係合環部に分解可能に装着されるとともに中央部に吊輪部を備え、前記係合環部を連結可能な第２連結線材と、
を具備したことを特徴とする蓋付容器固定具。
【請求項２】
請求項１記載の蓋付容器固定具において、
さらに、前記第１および第２フレーム線材の少なくとも一方に支持され、石材からなる銘板を具備したことを特徴とする蓋付容器固定具。
【発明の詳細な説明】
【技術分野】
【０００１】
本発明は、蓋付容器固定具に関する。
【背景技術】
【０００２】
たとえば、一般に遺骨を保管する骨壺としては、耐久性があり比重の大きな陶器または磁器等の素材が用いられている。このような骨壺は、容器本体と蓋体が分離している蓋付容器であるとともに、重いため、そのままでは取り扱いが極めて不便である。
【０００３】
骨壺の保管場所としては、たとえば、個人のお墓のカロート（納骨棺）に個別に安置して保管する場合、あるいは、永代供養のために、お寺等の納骨堂に集団的に保管する場合が考えられる。
【０００４】
そして、前者のカロートは、一般に狭隘な空間であり、墓石の正面下部に設けられた拝石等で隠蔽された小さな開口部を通じてカロート内部に対する骨壺の出し入れを行う必要があるため、裸の骨壺のままでは、納骨の所作が極めて不便となる。
【０００５】
また、後者の納骨堂の場合、多数の骨壺が密集して収納されるのが一般的であり、やはり、密集した多数の骨壺の収納空間に対する裸の骨壺の出し入れは、極めて不便なものとなる。
【０００６】
このため、不定形の針金で骨壺を縛ることが考えられるが、美観上好ましくなく、かつ粗雑な印象を与え、故人の礼節ある供養にはふさわしくない。
そこで、たとえば、骨壺の容器本体の側面に、上下方向に所定の間隔で金属のベルトを緊密に巻き付け、この二つのベルトの間に戒名等の銘板を挟むとともに、上側のベルトに針金等からなる吊輪の両端を固定した結束構造が考えられる。
【０００７】
そして、吊輪を把持して骨壺を吊り下げ、骨壺をカロートや納骨堂に落とし込むようにして納骨を行うものである。
また、特許文献１には、有底容器本体と蓋からなる骨壺に、有底ケーシングを逆さまに被せ、有底容器本体の底部周辺に設けられた爪に、下向きの有底ケーシングの開口端を噛みあわて固定するとともに、蓋と有底ケーシングの底面との隙間にスプリングを配置して、有底容器本体と蓋を密着させる方向に常時押圧して、有底容器本体と蓋を一体に保持する密閉容器が開示されている。
【先行技術文献】
【特許文献】
【０００８】
【特許文献１】特開平０７−１４８２０７号公報
【発明の概要】
【発明が解決しようとする課題】
【０００９】
ところが、金属ベルトを用いる前者の従来技術の結束具では、骨壺の大きさに合わせて金属ベルトを加工して装着する必要があるため、構造が大掛かりで高コストとなり、また、金属ベルトの緊縛等のために装着組立作業も煩雑となるという技術的課題がある。
【００１０】
また、後者の密閉容器の場合には、骨壺の容器本体と蓋を一体に結束して取り扱うことはできるものの、有底ケーシングやスプリング等の大掛かりな部品が必要となり、やはり、高コストで煩雑な組立作業が必要になる、という技術的課題がある。
【００１１】
さらに、この両者のいずれの場合も、金属ベルトや有底ケーシング、スプリング等の部材は嵩張るため、保管や流通が不便となる技術的課題もある。
本発明の目的は、安価に製作でき、組立や保管および流通等の取り扱いが簡便な蓋付容器固定具を提供することにある。
【課題を解決するための手段】
【００１２】
本発明の第１の観点は、閉じた枠形状に成形され、各々が係合環部を備えた第１フレーム線材および第２フレーム線材と、
両端部に形成された折り曲げ部を介して前記第１および第２フレーム線材に可動に装着され、当該第１および第２フレーム線材の前記係合環部と反対側を連結可能な複数の第１連結線材と、
両端部にそれぞれ形成された折り曲げ部および螺子結合部を介して前記第１および第２フレーム線材の各々の前記係合環部に分解可能に装着されるとともに中央部に吊輪部を備え、前記係合環部を連結可能な第２連結線材と、
を具備した蓋付容器固定具を提供する。
【００１３】
本発明の第２の観点は、第１の観点に記載の蓋付容器固定具において、
さらに、前記第１および第２フレーム線材の少なくとも一方に支持され、石材からなる銘板を具備した蓋付容器固定具を提供する。
【発明の効果】
【００１４】
本発明によれば、安価に製作でき、組立や保管および流通等の取り扱いが簡便な蓋付容器固定具を提供することができる。
【図面の簡単な説明】
【００１５】
【図１】本発明の一実施の形態であるの蓋付容器固定具の単体の組立状態の構成の一例を示す斜視図である。
【図２】本発明の一実施の形態である蓋付容器固定具の折り畳み状態の構成の一例を示す斜視図である。
【図３】本発明の一実施の形態である蓋付容器固定具を骨壺に装着した状態の一例を示す上部斜視図である。
【図４】本発明の一実施の形態である蓋付容器固定具を骨壺に装着した状態の一例を示す底部斜視図である。
【図５】本発明の一実施の形態である蓋付容器固定具を骨壺に装着した状態の変形例を示す上部斜視図である。
【発明を実施するための形態】
【００１６】
以下、図面を参照しながら、本発明の実施の形態について詳細に説明する。
図１は、本発明の一実施の形態であるの蓋付容器固定具の単体の組立状態の構成の一例を示す斜視図である。
【００１７】
図２は、本発明の一実施の形態である蓋付容器固定具の折り畳み状態の構成の一例を示す斜視図である。
図３は、本発明の一実施の形態である蓋付容器固定具を骨壺に装着した状態の一例を示す上部斜視図である。
【００１８】
図４は、本発明の一実施の形態である蓋付容器固定具を骨壺に装着した状態の一例を示す底部斜視図である。
図１および図２に例示されるように、本実施の形態の蓋付容器固定具１０は、同一形状の一対の第１フレーム線材１１および第２フレーム線材１２と、これらを連結する複数の底部連結線材１３（第１連結線材）および底部連結線材１４（第１連結線材）と、上部連結線材１５（第２連結線材）を備えている。
【００１９】
そして、この蓋付容器固定具１０は、図３および図４に例示されるように、容器本体２１および蓋体２２からなる骨壺２０の結束に用いられる。
本実施の形態の場合、骨壺２０は、上端が開口した有底の円筒形の容器本体２１と、この容器本体２１の開口に装着される蓋体２２で構成されている。蓋体２２は、中心部が上に凸の略円弧形状を呈している。
【００２０】
第１フレーム線材１１は、容器本体２１の底部２１ａに接する底辺部１１ａ、容器本体２１の側面部２１ｂに接する側辺部１１ｂおよび側辺部１１ｃ、および蓋体２２に接する台形上辺部１１ｄを備えた略多角形の枠形状を呈している。
【００２１】
すなわち、この第１フレーム線材１１は、一本の線材を略多角形に成形し、両端を底辺部１１ａの溶接部１１ｙで接続することによりの枠形状に成形されている。
第１フレーム線材１１の台形上辺部１１ｄは、両端の傾斜辺１１ｅおよび傾斜辺１１ｆと、これらに挟まれた水平辺１１ｇで構成され、水平辺１１ｇには、線材をループ形状に折り曲げて成形した係合環部１１ｈが形成されている。
【００２２】
同様に、第２フレーム線材１２は、容器本体２１の底部２１ａに接する底辺部１２ａ、容器本体２１の側面部２１ｂに接する側辺部１２ｂおよび側辺部１２ｃ、および蓋体２２に接する台形上辺部１２ｄを備えた略多角形の枠形状を呈している。
【００２３】
すなわち、この第２フレーム線材１２は、一本の線材を略多角形に成形し、両端を底辺部１２ａの溶接部１２ｙで接続することにより枠形状に成形されている。
第２フレーム線材１２の台形上辺部１２ｄは、両端の傾斜辺１２ｅおよび傾斜辺１２ｆと、これらに挟まれた水平辺１２ｇで構成され、水平辺１２ｇには、線材をループ形状に成形した係合環部１２ｈが形成されている。
【００２４】
第１フレーム線材１１（第２フレーム線材１２）の側辺部１１ｂ（側辺部１２ｂ）と側辺部１１ｃ（側辺部１２ｃ）の間隔Ｌは、容器本体２１の直径Ｄよりも小さく設定されている。
【００２５】
これにより、図３に例示されるように、第１フレーム線材１１および第２フレーム線材１２は、骨壺２０の中心（直径位置）から所定の距離だけ逸れた位置にほぼ平行かつ対称に装着される。
【００２６】
なお、骨壺２０の容器本体２１において、底部の直径が上端の開口部の直径よりも小さい略逆円錐台形を呈する場合、第１フレーム線材１１（第２フレーム線材１２）の側辺部１１ｂ（側辺部１２ｂ）および側辺部１１ｃ（側辺部１２ｃ）を、側面部２１ｂの傾斜に沿うように、わずかに傾斜させて成形する。
【００２７】
また、第１フレーム線材１１および第２フレーム線材１２の台形上辺部１１ｄおよび台形上辺部１２ｄは、図３のように、当該装置位置において、水平辺１１ｇおよび水平辺１２ｇが蓋体２２に接する寸法形状に設定されている。
【００２８】
これにより、蓋体２２の円弧形状にそって、第１フレーム線材１１および第２フレーム線材１２をコンパクトに装着できるとともに、後述の蝶螺子１５ｅによる締結力によって、第１フレーム線材１１および第２フレーム線材１２が接近する方向に付勢されるときに、第１フレーム線材１１および第２フレーム線材１２の弾性によって、蓋体２２を容器本体２１に密着させる方向の結束力を効果的に発生させることができる。
【００２９】
第１フレーム線材１１および第２フレーム線材１２の底辺部１１ａおよび底辺部１２ａは、複数の底部連結線材１３および底部連結線材１４が架け渡されて連結される。
すなわち、底部連結線材１３の両端部には、底辺部１１ａに巻き付く折り曲げ部１３ａと、底辺部１２ａに巻き付く折り曲げ部１３ｂが形成されている。
【００３０】
なお、この折り曲げ部１３ａおよび折り曲げ部１３ｂの内周の径は、第１フレーム線材１１および第２フレーム線材１２を構成する線材の直径よりも僅かに大きく設定されている。これにより、底部連結線材１３は、第１フレーム線材１１および第２フレーム線材１２の線材の長さ方向に沿って自由に移動可能となっている。
【００３１】
同様に、底部連結線材１４の両端部には、底辺部１１ａに巻き付く折り曲げ部１４ａと、底辺部１２ａに巻き付く折り曲げ部１４ｂが形成されている。
また、この折り曲げ部１４ａおよび折り曲げ部１４ｂの内周の径は、第１フレーム線材１１および第２フレーム線材１２を構成する線材の直径よりも僅かに大きく設定されている。これにより、底部連結線材１４は、第１フレーム線材１１および第２フレーム線材１２の線材の長さ方向に沿って自由に移動可能となっている。
【００３２】
一方、上部連結線材１５は、一端に折り曲げ部１５ａが形成され、他端部には螺子結合部１５ｃが設けられている。また、上部連結線材１５の中央部には吊輪部１５ｂが設けられている。
【００３３】
折り曲げ部１５ａは、第１フレーム線材１１の係合環部１１ｈに着脱可能で、かつ可動に巻き付く形状となっている。
螺子結合部１５ｃは、係合環部１２ｈに挿通される上部連結線材１５の前記他端部に所定の長さ範囲に刻設形成された雄ねじ部１５ｄと、この雄ねじ部１５ｄに着脱可能に螺合する蝶螺子１５ｅで構成されている。
【００３４】
上部連結線材１５における雄ねじ部１５ｄの形成範囲は、後述のように蝶螺子１５ｅによって第１フレーム線材１１および第２フレーム線材１２を接近させる方向に締め付けるために必要な十分な長さに設定されている。
【００３５】
そして、雄ねじ部１５ｄを係合環部１２ｈに挿入した状態で蝶螺子１５ｅを装着することで、上部連結線材１５は、第２フレーム線材１２の係合環部１２ｈに連結される。
上述の本実施の形態の蓋付容器固定具１０の構成部材は、たとえば、耐蝕性の高いステンレス鋼等の線材を用いることができる。また、蝶螺子１５ｅもステンレス鋼製の蝶螺子を用いることができる。
【００３６】
あるいは、ステンレス鋼等の金属の代わりに、金属に匹敵する強度や耐蝕性を有するエンジニアリングプラスチック等の樹脂を用いてもよい。
いずれにしても、蓋付容器固定具１０の構成部材は、ほぼ全体が線材であるため、折り曲げ等の成形加工は極めて容易であり、また、蓋付容器固定具１０を製作する材料の使用量が少ない。
【００３７】
さらに、第１フレーム線材１１と第２フレーム線材１２、および底部連結線材１３と底部連結線材１４は、同一形状であるため、実際には、第１フレーム線材１１、底部連結線材１３および上部連結線材１５の、わずか３種類の部材を準備するだけで蓋付容器固定具１０を製作できる。
【００３８】
このため、本実施の形態の蓋付容器固定具１０は、極めて低コストで量産可能である。
以下、本実施の形態の蓋付容器固定具１０の作用を説明する。
まず、保管や流通に際しては、図２に例示されるように、蓋付容器固定具１０は折り畳まれている。
【００３９】
すなわち、上部連結線材１５の螺子結合部１５ｃを第２フレーム線材１２の係合環部１２ｈからとり外すとともに、底部連結線材１３および底部連結線材１４の位置を、底辺部１１ａ、底辺部１２ａから、側辺部１１ｃおよび側辺部１２ｂにずらすことにより、図２のように平面的にコンパクトに折り畳むことができる。
【００４０】
これにより、本実施の形態の蓋付容器固定具１０では、保管スペースの削減、さらには梱包サイズの削減を実現でき、保管および流通は、極めて低コストで利便性の高いものとなる。
【００４１】
次に、本実施の形態の蓋付容器固定具１０を蓋付容器の一例である骨壺２０に装着して結束する方法を説明する。
まず、図２の状態から、底部連結線材１３および底部連結線材１４を底辺部１１ａおよび底辺部１２ａにずらし、底部連結線材１３および底部連結線材１４を挟んで、底部連結線材１３，１４の長手方向に対称となるように、第１フレーム線材１１および第２フレーム線材１２を水平に開くように配置する。
【００４２】
この状態は、図１の状態から、第１フレーム線材１１および第２フレーム線材１２を互いに反対側に水平に倒した状態に相当する。
次に、中央に位置する底部連結線材１３および底部連結線材１４の上に、骨壺２０の容器本体２１の底部２１ａを載置する。
【００４３】
次に、第１フレーム線材１１および第２フレーム線材１２を垂直に起立させ、容器本体２１の側面部２１ｂおよび蓋体２２に当接させる。
これにより、図３に例示されるように、骨壺２０の容器本体２１および蓋体２２を、直径部から逸れた対称な位置で高さ方向に囲繞するように、第１フレーム線材１１および第２フレーム線材１２は、骨壺２０に装着される。
【００４４】
次に、第１フレーム線材１１の係合環部１１ｈに巻き付いている上部連結線材１５の折り曲げ部１５ａを支点として、上部連結線材１５を適宜旋回させ、先端の雄ねじ部１５ｄを第２フレーム線材１２の係合環部１２ｈに挿入する。
【００４５】
そして、雄ねじ部１５ｄに外側から蝶螺子１５ｅを螺着して、第１フレーム線材１１および第２フレーム線材１２が互いに接近する方向に締め付ける。この状態が図３および図４である。
【００４６】
これにより、第１フレーム線材１１および第２フレーム線材１２の台形上辺部１１ｄおよび台形上辺部１２ｄは、蓋体２２の中央に向かってずり上がるように移動する。そして、第１フレーム線材１１および第２フレーム線材１２が上に凸の蓋体２２の高さ方向に広がるように変形する結果、この変形の反発力によって、蓋体２２は容器本体２１に密着するように強い力で締め付けられ、骨壺２０は、蓋付容器固定具１０によって強く、かつ安定に結束される。
【００４７】
このように、本実施の形態の蓋付容器固定具１０の骨壺２０に対する装着は、極めて簡便かつ短時間に可能であり、煩雑な作業や熟練は全く要しない。
また、本実施の形態の蓋付容器固定具１０の場合、図３に例示されるように、直線的な美的意匠形状の第１フレーム線材１１、第２フレーム線材１２、底部連結線材１３、底部連結線材１４、上部連結線材１５で骨壺２０を取り囲むため、不定形の針金等で無造作に結束する場合に比較して、外観は簡素で極めて美観に富むものとなる。
【００４８】
従って、本実施の形態の蓋付容器固定具１０を使用した骨壺２０にあっては、故人の礼節ある供養に相応しい、好ましい外観となる。
そして、骨壺２０を取り扱う際には、上部連結線材１５の中央の吊輪部１５ｂに適宜の吊り下げ具を挿通して、吊り下げることにより、たとえば、カロートや納骨堂内の狭い空間に、良好かつ簡便な作業性をもって出し入れすることが可能となる。
【００４９】
また、納骨堂内に複数の骨壺２０を配列して収納する場合でも、本実施の形態の蓋付容器固定具１０を用いた場合には、骨壺２０の外周部には、直径部から逸れた位置に、細い線材からなる第１フレーム線材１１，１２の、側辺部１１ｂ，１１ｃおよび側辺部１２ｂ，１２ｃが存在するだけである。
【００５０】
このため、隣接する円筒形の骨壺２０の間に形成される糸巻状の隙間に、側辺部１１ｂ，１１ｃおよび側辺部１２ｂ，１２ｃが位置するように配列することで、蓋付容器固定具１０を用いない場合と同等の配列間隔で密に多数の骨壺２０を収納することが可能となる。
【００５１】
さらに、たとえば、個人のお墓のカロート（納骨棺）の場合、地面に直に骨壺２０を安置する場合、およびカロート内に棚を設けて安置する場合のいずれにおいても、カロート内への水の侵入により、骨壺２０が転倒し、中の遺骨が散乱する懸念がある。
【００５２】
ところが、本実施の形態の場合には、蓋付容器固定具１０によって骨壺２０の容器本体２１と蓋体２２が長年月に亙って緊密かつ安定に結束されるので、浸水等によって骨壺２０が転倒しても、容器本体２１から蓋体２２が脱落することがなく、骨壺２０の内部の遺骨が散乱する等の不都合を確実に防止できる。
【００５３】
また、カロートや納骨堂のいずれの場合でも、安置空間の奥が深い場合には、安置床面上をずらして奥に移動させる際、および奥から手前側に取り出す際に、裸の骨壺２０では床面と陶器の骨壺２０の底面とが摺動して移動抵抗が大きくなり、移動作業が困難になるとともに、不快な騒音が発生する懸念がある。
【００５４】
これに対して、実施の形態の蓋付容器固定具１０を用いる場合には、容器本体２１の底面に接する底部連結線材１３および底部連結線材１４が安置床面との間に介在し、骨壺２０が安置床面から浮き上がるため、移動の際の床面と骨壺２０の底部との摩擦抵抗が小さくなり、奥の深い安置空間に対する骨壺２０の出し入れ作業が容易になるとともに、不快な騒音も発生しない。
【００５５】
また、たとえば、複数の骨壺２０を棚上に配列する場合、個々の骨壺２０に装着された蓋付容器固定具１０の吊輪部１５ｂに、紐や線材、棒状部材等を通して相互に連結することにより、地震等に起因する骨壺２０の転倒を効果的に防止できる。
【００５６】
すなわち、本実施の形態の蓋付容器固定具１０によれば、安価に製作でき、組立や保管および流通等の取り扱いが簡便な蓋付容器固定具を提供することができる。
なお、本実施の形態の蓋付容器固定具１０の場合、骨壺２０の直径が変化しても、底部連結線材１３および底部連結線材１３を対応する長さのものに交換すれば、第１フレーム線材１１と第２フレーム線材１２は、多様な直径の骨壺２０に共通に使用できる利点もある。
【００５７】
また、骨壺２０の直径の変化が小さい場合には、底部連結線材１３および底部連結線材１４を交換することなく、そのまま使用できる利点もある。
図５は、本発明の実施の形態である蓋付容器固定具の変形例を示す斜視図である。この図５は、骨壺２０に対する蓋付容器固定具１０の装着状態を示している。
【００５８】
この変形例の場合、蓋付容器固定具１０における一方の第１フレーム線材１１には、側辺部１１ｂおよび側辺部１１ｃに両端部が支持された銘板３０が固定されている点が異なり、他は同様である。
【００５９】
この銘板３０には、両端部に、側辺部１１ｂおよび側辺部１１ｃが貫通する穴または溝等からなるフレーム嵌合部３２が設けられ、当該側辺部１１ｂおよび側辺部１１ｃに左右の両端部が脱落しないように支持されている。
【００６０】
この銘板３０は、たとえば、耐蝕性の石材で構成され、中央部には、戒名文字部３１が彫り込まれている。この戒名文字部３１は、文字に限らず、遺影等の画像を合わせて彫り込むこともできる。
【００６１】
あるいは、銘板３０をステンレス鋼等の耐蝕性の高い金属で制作し、戒名文字部３１を消えにくい彫り込み加工等によって形成してもよい。
このように、本変形例の場合には、蓋付容器固定具１０に、戒名文字部３１が刻印された耐蝕性の銘板３０を一体に固定することにより、骨壺２０が風雨に曝されたり、カロートまたは納骨堂内で水浸しになっても、戒名文字部３１の文字等が消えたり、不鮮明になることが防止される。
【００６２】
この結果、当該骨壺２０に納められた故人の遺骨を長年月に亙って確実に識別でき、たとえば、永代供養等において、故人を末永く適切に供養することが可能となる。
なお、本発明は、上述の実施の形態に例示した構成に限らず、その趣旨を逸脱しない範囲で種々変更可能であることは言うまでもない。
【００６３】
たとえば、蓋付容器固定具を構成する線材の断面は丸形に限らず、多角形や非真円形でもよい。
また、上述の実施の形態では、蓋付容器固定具が適用される蓋付容器の一例として骨壺の場合を例示したが、一般の蓋付容器の結束にも広く適用できることは言うまでもない。
【符号の説明】
【００６４】
１０  蓋付容器固定具
１１  第１フレーム線材
１１ａ  底辺部
１１ｂ  側辺部
１１ｃ  側辺部
１１ｄ  台形上辺部
１１ｅ  傾斜辺
１１ｆ  傾斜辺
１１ｇ  水平辺
１１ｈ  係合環部
１１ｙ  溶接部
１２  第２フレーム線材
１２ａ  底辺部
１２ｂ  側辺部
１２ｃ  側辺部
１２ｄ  台形上辺部
１２ｅ  傾斜辺
１２ｆ  傾斜辺
１２ｇ  水平辺
１２ｈ  係合環部
１２ｙ  溶接部
１３  底部連結線材
１３ａ  折り曲げ部
１３ｂ  折り曲げ部
１４  底部連結線材
１４ａ  折り曲げ部
１４ｂ  折り曲げ部
１５  上部連結線材
１５ａ  折り曲げ部
１５ｂ  吊輪部
１５ｃ  螺子結合部
１５ｄ  雄ねじ部
１５ｅ  蝶螺子
２０  骨壺
２１  容器本体
２１ａ  底部
２１ｂ  側面部
２２  蓋体
３０  銘板
３１  戒名文字部
３２  フレーム嵌合部
【図１】
2011079563.tif 000003
【図２】
2011079563.tif 000004
【図３】
2011079563.tif 000005
【図４】
2011079563.tif 000006
【図５】
2011079563.tif 000007